(57)【要約】【課題】本発明は、レーザー加工技術を用いて製造効率の高いフィルター成型品の製造方法、及びフィルター成型品を提供することを第一の課題とする。【解決手段】  フィルター成型品の製造方法であって、  レーザーを用いてフィルターを切断する切断工程を備える、フィルター成型品の製造方法。【選択図】図１
2019126744.tif 000002
【特許請求の範囲】
【請求項１】
フィルター成型品の製造方法であって、
レーザーを用いてフィルターを切断する切断工程を備える、フィルター成型品の製造方法。
【請求項２】
フィルター成型品の製造方法であって、
２枚以上のフィルターを重ね、レーザーを用いて、前記２枚以上のフィルターを切断及び溶着を同時に行う切断溶着工程と、前記切断溶着工程後の前記２枚以上のフィルターに、縫合又は熱溶着を行う補強工程を備えることを特徴とする、フィルター成型品の製造方法。
【請求項３】
前記フィルターが、紙、不織布、ナイロン紗、ポリエステル紗及び植物由来の生分解性繊維から選択される少なくとも１種以上であることを特徴とする、請求項１又は２に記載のフィルター成型品の製造方法。
【請求項４】
請求項１〜３の何れか一項に記載のフィルター成型品の製造方法により製造された、ティーバッグ。
【請求項５】
レーザーを用いて１枚のフィルターを切断して製造されたフィルター成型品を構成部品とする、組立式フィルター成型品。
【請求項６】
２枚以上のフィルターを重ね、レーザーを用いて、前記２枚以上のフィルターを切断及び溶着を同時に行い、縫合又は熱溶着で補強することで製造されたフィルター成型品を構成部品とする、組立式フィルター成型品。
【請求項７】
ランナー部と、ゲート部と、パーツ部とを備えるプラモデル様であることを特徴とする、請求項５又は６に記載の組立式フィルター成型品。
【請求項８】
外形が、所定の立体形状の展開図形状であることを特徴とする、請求項５又は６に記載の組立式フィルター成型品。
【請求項９】
外形がパズルのピース状であることを特徴とする、請求項５又は６に記載のフィルター成型品。
【発明の詳細な説明】
【技術分野】
【０００１】
本発明は、レーザー加工技術を用いたフィルター成型品の製造方法に関するものである。
【背景技術】
【０００２】
茶、コーヒー、出汁等の原料を抽出用フィルター内に封入し、湯に浸出するだけで簡易的に抽出液を得ることができる、いわゆるティーバッグは、成形の簡便性及び抽出効率の観点から、大半が矩形状、又は三角錐状である。
【０００３】
一方で、特許文献１には、特異な形状のフィルター成型品として、ハート型、星型、フルーツを模した形状、動物を模した形状のティーバッグが開示されている。
特許文献１には、このような特異な形状のフィルター成型品を製造する方法として、基盤と金型にフィルターをはさみこみ、超音波を発する融着切断具を用いて所定の形状に切断及び溶着を行う方法が開示されている。
【０００４】
しかし、特許文献１に記載の方法は、未だに自動化されておらず、手動で行う必要があり、製造効率が悪いという問題がある。
また、特許文献１に記載の融着切断具のような接触式のものは、フィルターの重なりのずれやほつれが発生し、また、思い通りの正確な形状に切断と溶着を同時に行うことは困難であるという問題がある。
さらに金型は高価なものであり、それぞれの形状毎に金型を用意すると、多大なコストがかかってしまう。
【０００５】
また、超音波溶着は、従来のティーバッグ等のフィルター成型品のように、直線的で簡素な形状であれば、フィルターを切断と同時に溶着することができるが、ハート型の曲線や、星形の先端部のような複雑な形状に対しては、十分な溶着や切断が行えず、中身の流失の原因となることが知られている。また、綺麗で正確な溶着が行えないことから、形状不良の原因となる。
【０００６】
特許文献２には、特異な形状のフィルター成型品での製造方法として、予め所定の外形形状にフィルターを裁断し、当該フィルターを２枚重ね合わせて、茶葉が流出しない程度の所定ピッチで縫い合わせる方法が記載されている。
【０００７】
しかし、特許文献２に記載の方法のように、フィルターを糸で縫い合わせるのみであると、糸が経時的に緩んでしまうため、個人的に製造・使用するには問題がないものの、大量生産には向かない。
さらに、予め所定の外形形状にフィルターを裁断すると、手間やコストが余分にかかってしまうという問題があった。
【先行技術文献】
【特許文献】
【０００８】
【特許文献１】実用新案登録第３１１６５０３号公報
【特許文献２】特開２０１３−１３３１０８号公報
【発明の概要】
【発明が解決しようとする課題】
【０００９】
本発明者らは、従来よりも製造効率が高く、又は製造コストが抑えられ、かつフィルターを特異的な形状であっても容易に製造可能なフィルター成型品の製造方法を確立すべく、レーザー加工技術に着目した。
【００１０】
本発明者らは、レーザー加工技術を用いれば、加工速度が速いため、製造効率が向上すると考え、鋭意研究を重ねた。
【００１１】
本発明者らは、レーザーを用いてフィルターを切断することでフィルター成型品を効率よく製造できることを見出した。
【００１２】
すなわち、本発明は、レーザー加工技術を用いて製造効率の高いフィルター成型品の製造方法、及びフィルター成型品を提供することを第一の課題とする。
【００１３】
一方で、フィルター成型品が、ティーバッグのように、中に粉末状の原料が封入されているものである場合には、レーザー加工技術を用いるのみでは製造が困難であった。
【００１４】
フィルターを綺麗に切断するためには、レーザーの焦点を絞る必要があるが、焦点を絞ると、上手くフィルターが溶着できず、すき間が空いてしまう。このすき間が、輸送時及び使用時にティーバッグの中身が流出する原因となるため、未溶着部分を完全に無くす必要がある。
【００１５】
一方で、焦点を広くすれば、すき間なく溶着をすることができるが、綺麗に切断ができず、歪な形状となってしまうことがわかった。
【００１６】
このような新たな課題に鑑み、本発明は、レーザー加工技術を用いて、製造効率が高く、又は製造コストが抑えられ、かつ中身の流出が抑制されたフィルター成型品の製造方法及び、中身の流出が抑制されたフィルター成型品を提供することを第二の課題とする。
【００１７】
また、レーザー加工技術の高い操作性を活かして、従来に無い新たな楽しみ方が付随したフィルター成型品を提供することを第三の課題とする。
【課題を解決するための手段】
【００１８】
上記課題を解決する本発明のフィルター成型品の製造方法は、
レーザーを用いてフィルターを切断する切断工程を備える。
本発明によれば、高い製造効率で、かつ低コストでフィルター成型品を製造することができる。
【００１９】
また、前記課題を解決する本発明のフィルター成型品の製造方法は、
２枚以上のフィルターを重ね、レーザーを用いて、前記２枚以上のフィルターを切断及び溶着を同時に行う切断溶着工程と、前記切断溶着工程後の前記２枚以上のフィルターに、縫合又は熱溶着を行う補強工程を備える。
本発明によれば、フィルター成型品が、ティーバッグのような、多少のすき間から中身が流出してしまうようなものであっても、中身の流出を抑制することができる。
また、金型が必要ないため、従来のフィルター成型品の製造方法と比して、安価である。
【００２０】
本発明の好ましい形態では、前記フィルターが、紙、不織布、ナイロン紗、ポリエステル紗及び植物由来の生分解性繊維から選択される少なくとも１種以上である。
【００２１】
また、上記課題を解決する本発明は、上記製造方法により製造されたティーバッグである。
【００２２】
また、上記課題を解決する本発明は、レーザーを用いて１枚のフィルターを切断して製造されたフィルター成型品を構成部品とする、組立式フィルター成型品である。
このような形態のフィルター成型品は、使用前に、消費者が自力で組み立てる工程を楽しむことができる。また、組立て後のフィルター成型品を、鑑賞して楽しむことができる
【００２３】
また、上記課題を解決する本発明は、２枚以上のフィルターを重ね、レーザーを用いて、前記２枚以上のフィルターを切断及び溶着を同時に行い、縫合又は熱溶着で補強することで製造されたフィルター成型品を構成部品とする、組立式フィルター成型品である。
このような形態のフィルター成型品は、使用前に、消費者が自力で組み立てる工程を楽しむことができる。また、組立て後のフィルター成型品を、鑑賞して楽しむことができる。
【００２４】
本発明の好ましい形態では、前記組立式フィルター成型品は、ランナー部と、ゲート部と、パーツ部とを備える、プラモデル様組立式フィルター成型品である。
このような形態のフィルター成型品は、使用前に、消費者が自力で組み立てる工程を楽しむことができる。また、組立て後のフィルター成型品を、鑑賞して楽しむことができる。
【００２５】
本発明の好ましい形態では、前記組立式フィルター成型品は、所定の立体形状の展開図形状となっている、組立式フィルター成型品である。
このような形態のフィルター成型品は、使用前に、消費者が自力で組み立てる工程を楽しむことができる、また、児童の教材として使用することもできる。
【００２６】
本発明の好ましい形態では、前記組立式フィルター成型品は、外形がパズルのピース上である、組立式フォルター成型品である。
このような形態のフィルター成型品は、使用前に、消費者がパズルを完成させる工程を楽しむことができる。また、児童が教養を身に着けるのに役立つことができる。
【発明の効果】
【００２７】
本発明の製造方法によれば、フィルター成型品を効率よく製造することができる。
本発明の製造方法の好ましい形態によれば、中身の流出が抑制されたフィルター成型品を製造することができる。
本発明のフィルター成型品は、新たな楽しみ方が付随されている。
【図面の簡単な説明】
【００２８】
【図１】本発明の製造方法により製造した抽出用フィルターである。
【図２】本実施形態に係るプラモデル様組立式フィルター成型品の図面代用写真である。
【図３】本実施形に係るプラモデル様組立式フィルター成型品を組み立てた完成品の図面代用写真である。
【図４】本実施形態に係る、立方体を形成可能な展開図様組立式フィルター成型品を示す模式図である。
【図５】本実施形態に係る、八面体を形成可能な展開図様組立式フィルター成型品を示す模式図である。
【図６】本実施形態に係る、差し込み部を備えた、立方体を形成可能な展開図様組立式フィルター成型品を示す模式図である。
【図７】本実施形態に係る、パズル様組立式フィルター成型品を示す模式図である。
【発明を実施するための形態】
【００２９】
以下、本発明の実施形態のフィルター成型品、及びフィルター成型品の製造方法に関して詳細に説明するが、本発明はこれに限られない。
【００３０】
（１）フィルター成型品
本明細書中において、フィルター成型品とは、フィルターを加工、成形したものの総称を意味する。
フィルター成型品としては、例えば、特異の形状に切断したフィルター、ティーバッグ等の抽出用フィルター、フックタグ等を挙げることができる。
【００３１】
フックタグは、従来、抽出用フィルター部分とは別に、厚紙を用いて製造されてきたが、本発明のフィルター成型品の製造方法によれば、抽出用フィルター部分と、タグ部分とを同一の素材、同一のラインにて製造することができ、製造工程の簡略化及びコストの削減が可能となる。
【００３２】
本発明のフィルター成型品に用いられるフィルターの素材は、お湯又は水等の液体を用いて、封入されている原料の成分を抽出可能なフィルターであれば特に限定されないが、紙、不織布、ナイロン紗、ポリエステル紗及び植物由来の生分解性繊維から選択される１種であることが好ましい。
【００３３】
本発明の実施の形態によっては、複数の素材のフィルターを用いたフィルター成型品であってもよい。
【００３４】
また、フィルター成型品としてティーバッグ等の抽出用フィルターを製造する場合は、フィルターとフィルターの間の空間に、原料を含んでもよく、含まなくてもよい。
ここで、本明細書中において原料とは、フィルター内に入れることで効果を発揮するもののことであり、例えば、茶葉、コーヒー、漢方、みそ汁、スポーツ飲料及びスープ等の、溶解又は抽出するための原料や、アロマ及びポプリ等の雑貨に含まれる成分、浴槽に入れることで温泉効能的用途を有する石、鉱石、又は脱臭剤及び防臭剤等に用いられる成分等が挙げられる。
原料を含まない抽出用フィルターは、使用者が、自身の好みの原料を封入することができる。
【００３５】
（２）フィルター成型品の製造方法
本発明のフィルター成型品の製造方法は、レーザーを用いてフィルターを切断する切断工程を備える。
本発明によれば、レーザーの精密な操作性を活かして、特異的な形状にフィルターを切断することができる。
本発明は、後述する組立式フィルター成型品の製造に適している。
【００３６】
また、２枚以上のフィルターを重ね、レーザーを用いて、前記２枚以上のフィルターを切断及び溶着を行う切断溶着工程を備えるフィルター成型品の製造方法も、本発明である。
【００３７】
本発明によれば、前記２枚以上のフィルターを綺麗に切断し、かつ、原料を含んでいないフィルター成型品や、温泉的効能的用途を有する石、鉱石等の、すき間から流出しない程度に大きい原料を封入したフィルター成型品であれば、問題なく製造できる程度に溶着することができる。
また、本発明によれば、従来のフィルター成型品の製造方法より高い製造効率でフィルター成型品を製造することができ、かつ、フィルター成型品の形状に応じた金型を要しないため、低コストでフィルター成型品を製造することができる。
【００３８】
本発明のフィルター成型品の製造方法に用いるレーザーとしては、一般的に加工・溶着に使われる固体レーザー及び気体レーザーを用いることができ、ＣＯ２レーザーを用いることが好ましい。
【００３９】
レーザーの出力の上限及び下限は、フィルターの種類により異なるが、当業者であれば、適宜調整が可能である。
例えば、フィルターが不織布である場合には、レーザーの出力の下限は、好ましくは１０Ｗ以上、より好ましくは１５Ｗ以上、特に好ましくは２０Ｗ以上である。また、レーザーの出力の上限は、好ましくは１５０Ｗ以下、より好ましくは１４０Ｗ以下、さらに好ましくは１３０Ｗ以下である。
【００４０】
重ねるフィルターの枚数は、特に限定されず、必要な強度に応じて適宜変更することが可能である。
フィルター成型品が、抽出用フィルターである場合には、抽出効率の観点から、重ねるフィルターの枚数は、好ましくは１０枚以下、より好ましくは８位か、さらに好ましくは６枚以下である。
【００４１】
フィルターを３枚以上重ね、抽出用フィルターを製造する場合には、原料は、最も外側のフィルターと、その次のフィルターに封入することが好ましい。
このような形態とすることで、フィルターを複数枚重ねることによる抽出効率の低下を抑制することができる。
【００４２】
本発明の実施形態の一つでは、前記切断溶着工程後の前記２枚以上のフィルターに、縫合、着又は熱溶着を行う補強工程を備える。
前記補強工程を備えることにより、茶葉やコーヒー粉末等の細かい原料の流出が抑制されたフィルター成型品を製造することができる。
また、前記補強工程を備えた場合であっても、レーザーを用いて前記切断溶着工程を備えることにより、従来のフィルター成型品の製造方法よりも製造効率は格段に向上しており、かつ、フィルター成型品の形状に応じた金型を要しないため、低コストでフィルター成型品を製造することができる
【００４３】
縫合は、手縫い又はミシンにより行うことができる。製造効率の観点から、縫合は、所定の形状に縫合するようにプログラミングが可能なミシンを行うことが好ましい。
【００４４】
熱溶着の方法は、特に限定されず、超音波溶着、熱風式溶着、熱板式溶着、インパルス式溶着及びコテ式溶着等を用いることができる。
【００４５】
熱溶着を行う場合、加える熱の温度は、フィルターの種類により異なるが、当業者であれば、適宜変更、調整を行うことが可能である。
例えば、フィルターが不織布であれば、１４０〜２４０℃の熱を加えることで溶着が可能である。
好ましくは、１６０〜２００℃の熱を加えて溶着する。このような温度範囲の熱を加えることで、より綺麗に溶着することが可能となる。
【００４６】
また、超音波溶着は、一般にフィルターの溶着に使用される装置を用いることができ、例えば、シーラー型のもの、ペン型のもの、プログラミング可能な超音波ペン及び超音波ミシン等が挙げられる。
【００４７】
本発明のフィルター成型品の製造方法において、原料が封入されたフィルター成型品を製造する場合、切断溶着工程を行う前に、予めフィルターとフィルターの間に原料を挟む工程を備えてもよく、切断溶着工程後に、未溶着部分から原料を投入し、その後補強工程を行うことで、原料を封入してもよい。
【００４８】
また、本発明によれば、使用者が、自ら好みの原料が入れられる原料投入口が形成されたフィルター成型品を製造することも可能である。
【００４９】
図１に、本発明の製造方法を用いて製造したフィルター成型品である、抽出用フィルターを示す（実施例１〜３）。
【００５０】
実施例１は、２枚のフィルターを重ね、レーザーを用いて前記２枚のフィルターを切断及び溶着して製造した抽出用フィルターである。
図１に示す通り、レーザーのみを用いて製造した抽出用フィルターは、未溶着の部分が存在する。このことから、切断溶着工程を備える本発明のフィルター成型品の製造方法は、使用者が自身の好みの原料を入れるタイプの抽出用フィルターの製造に適していることがわかる。
【００５１】
実施例２は、茶葉を挟むように２枚のフィルターを重ね、レーザーを用いて前記２枚のフィルターの切断及び溶着を行い、その後、プログラミング可能なミシンを用いて縫合を行って製造した、抽出用フィルターである。
実施例３は、茶葉を挟むように２枚のフィルターを重ね、レーザーを用いて前記２枚のフィルターの切断及び溶着を行い、その後、超音波溶着を行って製造した抽出用フィルターである。
実施例２及び３はいずれも、わずかなすき間もすべて封じられ、封入された原料が流出することはなかった。
このことから、縫合又は熱溶着を行う補強工程を備える本発明の製造方法によれば、原料の流出が抑制されたフィルター成型品を、効率よく、かつ低コストで製造できることがわかる。
【００５２】
（３）組立式フィルター成型品
レーザーを用いてフィルターを切断及び／又は溶着して製造されたフィルター成型品を構成部品とする、組立式フィルター成型品も、本発明である。
組立式フィルター成型品の構成部品であるフィルター成型品は、１枚のフィルターを切断して製造したものであっても、２枚以上のフィルターを切断及び溶着して製造したものであってもよい。
フィルターの枚数は、組立式フィルター成型品の形状や目的によって、適宜調整することができる。
【００５３】
本発明のフィルター成型品の実施形態の一つは、鶴１４を製造可能な、不織布からなるプラモデル様組立式フィルター成型品１０である（図２及び３参照）。
【００５４】
本実施形態に係るプラモデル様組立式フィルター成型品１０は、ランナー部１１と、ゲート部１２と、パーツ部１３を備える。
【００５５】
ランナー部１１とは、プラモデル様組立式フィルター成型品１０の枠部分である。
ゲート部１２とは、プラモデル様組み立て式フィルター成型品１０の、ランナー部１１とパーツ部１３、又はパーツ部１３同士を繋ぐ部分である。
パーツ部１３とは、鶴１４を構築するための部品である。
【００５６】
本実施形態に係るプラモデル様組立式フィルター成型品１０は、腹パーツ部１３ａに、使用者が自ら好みの茶葉を入れる、抽出用フィルターである。
【００５７】
本実施形態に係るプラモデル様組立式フィルター成型品１０は、パーツ部１３をゲート部１２から切り離し、各パーツ部１３を所定の形状に折り込むことで、鶴１４を完成させることができる。
【００５８】
本発明のプラモデル様組立式フィルター成型品１０は、本実施形態に限定されず、鶴の形状以外に、他の動物、乗り物、植物、建物及び衣服等を模した様々な形状となるような、パーツ部を備える構成とすることができる。
【００５９】
本発明のプラモデル様組立式フィルター成型品１０は、本実施形態のように使用者が好みの原料を封入できるように中身が空の形態であってもよく、パーツ部の１つ又は２つ以上に原料が封入されている形態であっても良い。
【００６０】
本発明のプラモデル様組立式フィルター成型品１０は、パーツ部が折り込みを前提とする構成である必要はなく、例えば、フィルターを重ねる枚数を増やし、厚みを出して、パーツを差し込むことで組立が可能な形態であってもよい。
【００６１】
また、本発明のプラモデル様組立式フィルター成型品１０は、各パーツ部１３同士を熱溶着することで、所定の形状を完成させる形態であってもよい。
【００６２】
なお、本発明のプラモデル様組立式フィルター成型品１０は、フィルターを重ねずに、１枚の状態でレーザーによって切断することにより、製造することも可能である。
【００６３】
本発明のフィルター成型品の実施形態の一つは、外形が、所定の立体形状の展開図形状である、展開図様組立式フィルター成型品２０である（図４及び図５参照）。
【００６４】
図４には、組み立てることで立方体２１を形成することができる展開図様組立式フィルター成型品２０ａ及び２０ｂの模式図が記載されている。
【００６５】
図５には、組み立てることで八面体２２を形成することができるよう展開図様組立式フィルター成型品２０ｃ及び２０ｄの模式図が記載されている。
【００６６】
本発明の展開図様組立式フィルター成型品２０は、これらに限定されず、例えば、角柱、角錐、円柱、円錐、多面体等を形成する展開図の形状とすることができる。
また、立方体、八面体の展開図の形状についても、図４、図５に記載の形状に限定されず、様々な形状とすることができる。
【００６７】
展開図様組立式フィルター成型品２０は、組立を容易にするために、差し込み部２３を備えていても良い（図６参照）。
また、展開図様組立式フィルター成型品２０は、所定の箇所に差し込み口を備え、前記差し込み部２３を挿入するような形態であってもよい（図示せず）。
【００６８】
本発明の展開図様組み立て式フィルター成型品２０は、使用者が、立体形状を組み立てることで生じる内部空間に好みの原料を封入する形態であっても、展開図様組立式フィルター成型品２０における複数枚重なったフィルターの間に原料が封入されている形態であってもよい。
フィルターの間に原料が封入されている形態について、例えば、立方体の展開図様組立式フィルター成型品においては、立方体の各面に相当する箇所の何れか１か所以上に原料が封入されている形態が例示できる。
【００６９】
本発明のフィルター成型品の実施形態の一つは、パズルのピース状の形態を有する、パズル様組立式フィルター成型品３０である（図７）。
【００７０】
パズル様組立式フィルター成型品３０は、それぞれを組み合わせることでパズル３１とすることができる。
【００７１】
パズル様組立式フィルター成型品３０の形状は、図７に示すように、パズルの様にはめ込むことが可能な形状であれば、特に限定されない。
また、パズル様組立式フィルター成型品３０を組み立てることで、完成するパズル３１の形状も、特に限定されない。
例えば、パズル３１の形状として、動物、乗り物、植物、建物及び衣服等を模した形状が例示できる。
【００７２】
また、パズル様組立式フィルター成型品３０は、使用者が好みの原料を封入できるように中身が空となっている形態のものであっても、原料が封入されている形態であってもよい。
【００７３】
原料が封入されている形態にあっては、例えば、色つきの原料をパズル様組立式フィルター成型品３０に封入し、完成したパズル３１に所定の絵が現れる形態とすることも可能である。
【００７４】
前記パズル様組立式フィルター成型品３０は、ピース状のものを一つずつ製造してもよいが、フィルターを組立後のパズル３１の外形となるようにレーザーを用いて切断及び溶着した後に、ピース状に分かれるように切断及び溶着することで製造することが好ましい。
この方法を用いることで、簡便にパズル様組立式フィルター成型品を製造することができる。
【００７５】
本発明の組立式フィルター成型品は、上述したプラモデル様組立式フィルター成型品、展開図様組立式フィルター成型品、及びパズル様組立式フィルター成型品の１種又は２種以上を組み合わせたものであってもよい。
【産業上の利用可能性】
【００７６】
本発明は、バリエーションに富んだ様々なフィルター成型品の製造に応用することができる。
【符号の説明】
【００７７】
１０      プラモデル様組立式フィルター成型品
１１      ランナー部
１２      ゲート部
１３      パーツ部
１３ａ  胴体部
１３ｂ  羽部
１３ｃ  顔部・尾部
１４      鶴
２０      展開図様組立式フィルター成型品
２０ａ  立方体を形成する展開図様組立式フィルター成型品
２０ｂ  立方体を形成する展開図様組立式フィルター成型品
２０ｃ  八面体を形成する展開図様組立式フィルター成型品
２０ｄ  八面体を形成する展開図様組立式フィルター成型品
２１      立方体
２２      八面体
２３      差し込み部
３０      パズル様組立式フィルター成型品
３１      パズル
【図１】
2019126744.tif 000003
【図２】
2019126744.tif 000004
【図３】
2019126744.tif 000005
【図４】
2019126744.tif 000006
【図５】
2019126744.tif 000007
【図６】
2019126744.tif 000008
【図７】
2019126744.tif 000009
【手続補正書】
【提出日】平成30年6月26日(2018.6.26)
【手続補正１】
【補正対象書類名】特許請求の範囲
【補正対象項目名】全文
【補正方法】変更
【補正の内容】
【特許請求の範囲】
【請求項１】
フィルター成型品の製造方法であって、
２枚以上のフィルターを重ね、レーザーを用いて、前記２枚以上のフィルターを切断及び溶着を同時に行う切断溶着工程と、前記切断溶着工程後の前記２枚以上のフィルターに、縫合又は熱溶着を行う補強工程を備えることを特徴とする、フィルター成型品の製造方法。
【請求項２】
前記フィルターが、紙、不織布、ナイロン紗、ポリエステル紗及び植物由来の生分解性繊維から選択される少なくとも１種以上であることを特徴とする、請求項１に記載のフィルター成型品の製造方法。
【請求項３】
請求項１又は２に記載のフィルター成型品の製造方法により製造された、ティーバッグ。
【請求項４】
２枚以上のフィルターを重ね、レーザーを用いて、前記２枚以上のフィルターを切断及び溶着を同時に行い、縫合又は熱溶着で補強することで製造されたフィルター成型品を構成部品とする、組立式フィルター成型品。
【請求項５】
ランナー部と、ゲート部と、パーツ部とを備えるプラモデル様であることを特徴とする、請求項５に記載の組立式フィルター成型品。
【請求項６】
外形が、所定の立体形状の展開図形状であることを特徴とする、請求項５に記載の組立式フィルター成型品。
【請求項７】
外形がパズルのピース状であることを特徴とする、請求項５に記載のフィルター成型品。
【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
フィルター成型品の製造方法であって、
２枚以上のフィルターを重ね、レーザーを用いて、前記２枚以上のフィルターを切断及び溶着を同時に行う切断溶着工程と、前記切断溶着工程後の前記２枚以上のフィルターに、縫合又は熱溶着を行う補強工程を備えることを特徴とする、フィルター成型品の製造方法。
【請求項２】
前記フィルターが、紙、不織布、ナイロン紗、ポリエステル紗及び植物由来の生分解性繊維から選択される少なくとも１種以上であることを特徴とする、請求項１に記載のフィルター成型品の製造方法。
【請求項３】
請求項１又は２に記載のフィルター成型品の製造方法により製造された、ティーバッグ。
【請求項４】
２枚以上のフィルターを重ね、レーザーを用いて、前記２枚以上のフィルターを切断及び溶着を同時に行い、縫合又は熱溶着で補強することで製造されたフィルター成型品を構成部品とする、組立式フィルター成型品。
【請求項５】
ランナー部と、ゲート部と、パーツ部とを備えるプラモデル様であることを特徴とする、請求項４に記載の組立式フィルター成型品。
【請求項６】
外形が、所定の立体形状の展開図形状であることを特徴とする、請求項４に記載の組立式フィルター成型品。
【請求項７】
外形がパズルのピース状であることを特徴とする、請求項４に記載のフィルター成型品。